Podtech/llm-jp-corpus-v4-ja_patent huggingface dataset:
(57)【要約】【課題】拡張式カウンターでありながら段差をなくし、而も一体感を与える広いカウンターを提供することをその課題とするものである。【解決手段】洗面台、洗濯機等が設置された脱衣室に設けられるサイドキャビネットにおいて、サイドキャビネット本体１の上面を上カウンター面２とし、サイドキャビネット本体１の前面開口部７に表面を上カウンター面２と同等の表カウンター面４とすると共に裏面に折りたたみ自在脚を有する扉板３を設け、該扉板３はヒンジ結合５により扉板３を上方へ水平位置まで回動せしめ、扉板３の表カウンター面４と上カウンター面２を同一高さ面として支持脚６で保持してなるものである。【選択図】図２
2008000306.tif 000002
【特許請求の範囲】
【請求項１】
洗面台、洗濯機等が設置された脱衣室に設けられるサイドキャビネットにおいて、サイドキャビネット本体の上面を上カウンター面とし、サイドキャビネット本体の前面開口部に表面を上カウンター面と同等の表カウンター面とすると共に裏面に折りたたみ自在脚を有する扉板を設け、該扉板はヒンジ結合により扉板を上方へ水平位置まで回動せしめ、扉板の表カウンター面と上カウンター面を同一高さ面として支持脚で保持してなるサイドキャビネット。
【発明の詳細な説明】
【技術分野】
【０００１】
本発明は、洗面台、洗濯機等が設置された脱衣室に設けられるサイドキャビネットに関するもので、サイドキャビネットの上面の上カウンター面を広く使いたい要望があるときに、この要望に容易に応えることができるサイドキャビネットに関するものである。
【背景技術】
【０００２】
従来からサイドキャビネットとして、特許文献１に示す如く、折りたたみ式拡張テーブル付き物置棚は知られている。この折りたたみ式拡張テーブル付き物置棚は物置棚の正面に前板を設けてあり、前板は上へ旋回することができるもので、上に旋回させることにより拡張テーブルを構成するものである。しかしながら、この拡張テーブルは本来のテーブルと段差を有して形成されるものであり、而も拡張テーブルは上板と同等の表面でないために異なった感じを与え、カウンター面を広く使いたい要望には不充分な場合があった。
【特許文献１】実用新案登録第３１１１６５２号公報  （図４）
【発明の開示】
【発明が解決しようとする課題】
【０００３】
上記従来の折りたたみ式拡張テーブル付き物置棚は拡張テーブルが段差をもって形成されるものであり、而も拡張テーブル表面と本来のテーブル表面とに対する同等感が配慮されておらず、広いカウンター面と言う要望にはあまり考慮が払われていないものであった。本発明は段差をなくし、而も一体感を与える広いカウンターを提供することをその課題とするものである。
【課題を解決するための手段】
【０００４】
上記課題を解決するために、本発明に係るサイドキャビネットは、請求項１に記載した如く、洗面台、洗濯機等が設置された脱衣室に設けられるサイドキャビネットにおいて、サイドキャビネット本体の上面を上カウンター面とし、サイドキャビネット本体の前面開口部に表面を上カウンター面と同等の表カウンター面とすると共に裏面に折りたたみ自在脚を有する扉板を設け、該扉板はヒンジ結合により扉板を上方へ水平位置まで回動せしめ、扉板の表カウンター面と上カウンター面を同一高さ面として支持脚で保持してなるサイドキャビネットである。
【発明の効果】
【０００５】
請求項１に記載のサイドキャビネットは、サイドキャビネット本体の上面を上カウンター面とし、サイドキャビネット本体の前面開口部に表面を上カウンター面と同等の表カウンター面とした扉板を設けているために、扉板として使用しているときは外観的に違和感が少ないものである。
【０００６】
又、扉板はヒンジ結合により扉板を上方へ水平位置まで回動せしめ、扉板の表カウンター面と上カウンター面を同一高さ面として支持脚で保持してなるために上カウンター面と表カウンター面の間に段差が生じないものであり、而も上カウンター面と表カウンター面は表面が同等であるために一体感が生じ、広いカウンターという要望に応えることができるものである。
【発明を実施するための最良の形態】
【０００７】
以下、本発明の実施形態について図面を参照して、詳細に説明する。図１は本発明のサイドキャビネットの実施例を示す側面図、図２は図１に示す実施例の使用状態を示す側面図である。図１、２において、１はサイドキャビネット本体、２は上カウンター面、３は扉板、４は表カウンター面、５はヒンジ結合、６は支持脚である。
【０００８】
このサイドキャビネットはサイドキャビネット本体１の上面を上カウンター面２とし、広いカウンターを必要としないときはこの状態で使用する。扉板３はヒンジ結合５により上端をサイドキャビネット本体１の前面開口部７に上下方向に回動自在に取付けられている。扉板３の表面は表カウンター面４でなり、上カウンター面２と同等である。ここで同等というのは、上カウンター面２と表カウンター面４の間に段差が生じない状態にしたときに一体的に見えることを意味するもので、具体的には同一物であることが望ましいものである。
【０００９】
扉板３の裏面には支持脚６が旋回自在に保持されている。支持脚６は伸縮自在であり、扉板３を上方へ水平位置まで回動したとき扉板３を支持するものである。この時、扉板３の表カウンター面４と上カウンター面２を同一高さ面として支持脚６で支持してなるために上カウンター面２と表カウンター面４の間に段差が生じないものである。８は扉板３の側面に形成された把手であり、凹溝で形成されている。
【００１０】
広いカウンターが要望されるときは、図２に示す如く、扉板３を把手８により上方へ水平位置まで回動し、扉板３の裏面に保持された支持脚６を伸ばし扉板３を水平位置に保つ。この時、扉板３の表カウンター面４と上カウンター面２を同一高さ面として支持脚６で支持してなるために上カウンター面２と表カウンター面４の間に段差が生じないものである。上カウンター面２と表カウンター面４により形成された広いカウンターは上カウンター面２と表カウンター面４の間に段差がなく、而も同等であるために、一体的に見え、広いカウンターの要望に応えるものである。
【図面の簡単な説明】
【００１１】
【図１】本発明にかかるサイドキャビネットの実施例の側面図。
【図２】図１に示す実施例の使用状態の側面図。
【符号の説明】
【００１２】
１            サイドキャビネット本体
２            上カウンター面
３            扉板
４            表カウンター面
５            ヒンジ結合
６            支持脚
７            前面開口部
８            把手
【図１】
2008000306.tif 000003
【図２】
2008000306.tif 000004
(57)【要約】【課題】表示灯の誤点灯が発生しても配線変更の必要を無くし、予め誤点灯の対策をとる必要もなくす。【解決手段】交流電源から交流電圧を表示灯３に印加して発光表示する表示装置において、表示灯３の一対の電源端子を構成するビス５の頭部中央に接続穴５ａを設け、この一対の接続穴５ａに誤点灯防止回路４の両端のコネクタピン４ａを挿入接続する。【選択図】図１
2008060451.tif 000002
【特許請求の範囲】
【請求項１】
交流電源から交流電圧を表示灯に印加して発光表示する表示装置において、表示灯の一対の電源端子のビスの頭部中央には接続穴を形成し、この一対の接続穴に誤点灯防止回路の両端のコネクタピンを挿入接続したことを特徴とする表示装置。
【発明の詳細な説明】
【技術分野】
【０００１】
この発明は、交流電源から交流電圧を表示灯に印加して発光表示する表示装置に関するものである。
【背景技術】
【０００２】
図３は従来の表示装置の一部回路図を示し、交流電源に電源線１ａ，１ｂ及びスイッチ２を介して表示灯３が並列に接続され、スイッチ２が投入されると、誤点灯防止回路４がない場合、交流電源からの交流電圧が表示灯３に印加され、表示灯３は発光する。そして、ノイズ、漏れ電流、高圧送電線等の誘起磁界による誘起起電力等により表示灯３が誤点灯する場合があり（特に表示灯３が高輝度ＬＥＤの場合）、これは予測するのが困難であるので、実際に誤点灯が生じた際に対策をとる必要があり、現場では表示灯３と並列にコンデンサＣと抵抗Ｒの直列回路からなる誤点灯防止回路４を接続していた。この誤点灯防止回路４は表示灯３に流れる電流を分流することにより、誤点灯を防止する。
【０００３】
なお、特許文献１においても、交流電源から電源線、制御スイッチ、変圧器を介して発光ダイオードに交流電圧を印加することが示され、やはり抵抗からなる誤点灯防止回路を発光ダイオードと並列に接続することが示されている。
【特許文献１】特開平８−１３７４２９号公報
【発明の開示】
【発明が解決しようとする課題】
【０００４】
しかしながら、図３に示すように表示灯３に誤点灯防止回路４を並列に接続すると、図４（ａ）に示すように、表示灯３の一対の電源端子を形成するビス５においては、一方のビス５は電源線１ａと誤点灯防止回路４の一方の接続線６との２本締めとなるが、他方のビス５は電源線１ｂを渡り線で接続した場合、２本の電源線１ｂと誤点灯防止回路４の他方の接続線６との３本締めとなり、締め込みが円滑に行われなくなる。そこで、この場合には、図４（ｂ）に示すように、電源線１ｂを渡り線とせず、ビス５と制御盤内の中継端子台７とをそれぞれ１本の電源線１ｂにより接続していた。表示灯４ａ，４ｂは扉に設けられている場合がほとんどであり、電源線１ｂを制御盤内まで引き直すのには多くの工数を要し、かなりの時間と労力を要した。
【０００５】
この発明は上記のような課題を解決するために成されたものであり、予め誤点灯の対策をする必要がなく、かつ誤点灯が発生しても配線変更をする必要がない表示装置を得ることを目的とする。
【課題を解決するための手段】
【０００６】
この発明の請求項１に係る表示装置は、交流電源から交流電圧を表示灯に印加して発光表示する表示装置において、表示灯の一対の電源端子のビスの頭部中央に接続穴を形成し、この一対の接続穴に誤点灯防止回路の両端のコネクタピンを挿入接続したものである。
【発明の効果】
【０００７】
この発明によれば、表示灯の一対の電源端子のビスの頭部中央に接続穴を形成し、この一対の接続穴に誤点灯防止回路の両端のコネクタピンを挿入接続したので、電源線を渡り線としても表示灯の電源端子のビスは２本締めとなり、締め込みを円滑に行うことができる。このため、誤点灯が発生しても配線変更をする必要がなく、また誤点灯が生じた表示灯のみに誤点灯防止回路を接続すればよいので、予め誤点灯の対策をとる必要もなくなる。
【発明を実施するための最良の形態】
【０００８】
以下、この発明を実施するための最良の形態を図面とともに説明する。図１はこの発明の実施最良形態による表示装置の要部斜視図、図２（ａ）〜（ｄ）は同じく誤点灯防止回路を接続された表示灯の斜視図、誤点灯防止回路の側面図、ビスの断面図及びビスの正面図を示し、表示灯３の電源端子であるビス５の頭部中央には接続穴５ａを形成し、誤点灯防止回路４には一対のコネクタピン４ａを形成する。そして、表示灯３に誤点灯が発生した場合には、誤点灯防止回路４の一対のコネクタピン４ａを表示灯３のビス５に形成した接続穴５ａに挿入接続する。
【０００９】
上記した実施最良形態においては、誤点灯防止回路４を表示灯３と並列に接続する場合、誤点灯防止回路４の一対のコネクタピン４ａを表示灯３の一対の電源端子のビス５の接続穴５ａに挿入すればよく、一方のビス５には電源線１ａを締め込み、他方のビス５には２本の電源線１ｂを渡り線で良好に締め込むことができる。このため、誤点灯防止回路４を表示灯３に並列に接続する場合、電源線１ｂの配線変更の必要がなくなり、また誤点灯が生じた表示灯３のみに誤点灯防止回路４を接続すればよいので、予め誤点灯の対策をとる必要もなくなる。
【図面の簡単な説明】
【００１０】
【図１】この発明の実施最良形態による表示装置の要部斜視図である。
【図２】実施最良形態による誤点灯防止回路を接続された表示灯の斜視図、誤点灯防止回路の側面図、表示灯のビスの断面図及び表示灯のビスの正面図である。
【図３】従来の表示装置の一部回路図である。
【図４】従来の表示装置の表示灯への電源線の接続状態を示す図である。
【符号の説明】
【００１１】
１ａ，１ｂ…電源線
３…表示灯
４…誤点灯防止回路
４ａ…コネクタピン
５…ビス
５ａ…接続穴
【図１】
2008060451.tif 000003
【図２】
2008060451.tif 000004
【図３】
2008060451.tif 000005
【図４】
2008060451.tif 000006
(57)【要約】【課題】トランスポンダ内部の回路を削減し小電力化を行い、送信出力への増大を計る。その結果を通信距離の長大へと還元する。このための通信方式を提供することを本発明の課題とする。【解決手段】主搬送波をクロック信号として使用しカウンタ部、比較部、応答部とを備えることを特徴とするトランスポンダ通信方式。【選択図】図１
2008060620.tif 000002
【特許請求の範囲】
【請求項１】
主搬送波をクロック信号として使用しカウンタ部、比較部、応答部とを備えることを特徴とするインテロゲータに対するトランスポンダ側の通信方式。
【請求項２】
応答サイクルにおいて、主搬送波をＡＳＫ変調方式と組み合わせて折り返すことにより周波数変調を行なわず、従って副搬送波を必要としないことを特徴とする請求項１のインテロゲータに対するトランスポンダ側の通信方式。
【発明の詳細な説明】
【技術分野】
【０００１】本発明は、ＲＦＩＤシステムにおけるトランスポンダの通信方式に関する。
【背景技術】
【０００２】デジタル変調における従来技術では、トランスポンダにクロック発振器を用いて受信信号から共振回路を経て主搬送波と副搬送波を分離し通信データを抽出し応答することが行なわれていた。これらの方式では付属回路が多数必要となり、通信距離の観点から低消費電力が求められるパッシブタイプのトランスポンダには重要な問題となっていた。【０００３】通信距離と消費電力の関係について説明する。パッシブタイプのトランスポンダは通常受信信号を電力供給源とするため電力に制限を受けることとなっている。しかしながら通信距離を得るためには相応の送信出力が必要となる。すなわち有限の資源においては、その分配を考慮する必要が発生することになる。従って内部回路の低消費電力が求められるものである。
このような背景を持ってトランスポンダの小電力化が重要な問題となる。
【発明の開示】
【発明が解決しようとする課題】
【０００４】トランスポンダ内部の回路を削減し小電力化を行い、送信出力への増大を計る。その結果を通信距離の長大へと還元する。このための通信方式を提供することを本発明の課題とする。
【課題を解決するための手段】
【０００５】主搬送波をクロック信号として使用しカウンタ部、比較部、応答部とを備えることを特徴とするインテロゲータに対するトランスポンダ側の通信方式。【０００６】応答サイクルにおいて、主搬送波をＡＳＫ変調方式と組み合わせて折り返すことにより周波数変調を行なわず、従って副搬送波を必要としないことを特徴とする請求項１のインテロゲータに対するトランスポンダ側の通信方式。
【発明の効果】
【０００７】本発明により、従来必要としていた共振回路、クロック発振器など多くの部品を削減することが可能となり、小電力化に絶大な影響を与える。【０００８】副搬送波を持たないことで送信出力の全てを主搬送波に充当することが可能となり、更に通信距離を伸ばすことに寄与するものである。また、副搬送波が無いことでＳ／Ｎ比が改善し、インテロゲータ側での受信が容易となる。このため少ない送信出力でも受信信号の識別が可能となり、結果として通信距離を伸ばすことに寄与する。もしくは、従来と同等の通信距離であれば送信出力を抑えることが可能となり、自由空間における電波の節約にもつながる。【０００９】ＡＳＫ変調に特化することで、無通信時間を軽減することとなり、これもトランスポンダ側の低消費電力を助長する好ましい要因となる。
【発明を実施するための最良の形態】
【００１０】本発明は、図１に示す構成を持ち回路構成の簡略化および削減を行った結果トランスポンダの低消費電力を実現し、通信距離の長大に寄与するものである。
【実施例】以下、図１を参照して本発明の一実施例を詳細に説明する。【００１１】受信アンテナ１から主搬送波を受信し受信側受信側増幅回路２にて受信レベル変換を行なう。【００１２】受信側増幅回路２から得られた信号をクロック信号としてカウンタ３においてカウントを行なう。必要に応じてカウンタ３は、クロック分周の機能も持たせることが考えられる。
また、カウント中の誤動作や移動によりカウント中で停止した場合の対処としてカウンタ３の初期化が必要と思われるが、これは電位レベルの異なる信号等により初期化信号とする手段などが考えられる。【００１３】カウンタ３のカウント値と個別ＩＤ５の値を比較器４にて比較し一致した場合、これを自トランスポンダ呼出と認識し変調制御部７に対して応答用のフラグ信号を出力する。
変調制御部７は、ループゲート６を制御するものであり現在のＡＳＫ変調にＰＳＫ変調を組み合わせることが考えられる。必要に応じて抵抗成分などを付加して位相変換を施す。
ループゲート６は、例えばＦＥＴにて構成し変調制御部７を介した応答用のフラグ信号を受けてオンオフ制御を行なう。ループゲート６をオンした状態で、受信側増幅回路２にてレベル変換を行なった信号をトランスポンダの出力信号として送信側増幅回路８へ伝達する。【００１４】ループゲート６を経た受信信号、すなわち主搬送波は送信側増幅回路８を介して送信出力を得て送信アンテナ９を介して電波として放射される。
この経緯により放射された電波がトランスポンダが応答したことを意味する。応答信号の出力時間については、ここでは定義せず任意とするが主搬送波の分周値に近似する。
【図面の簡単な説明】
【００１５】
【図１】トランスポンダの構成図
【符号の説明】
【００１６】１  受信アンテナ
２  受信側増幅回路
３  カウンタ
４  比較器
５  個別ＩＤ
６  ループゲート
７  変調制御部
８  送信側増幅回路
９  送信アンテナ
【図１】
2008060620.tif 000003
(57)【要約】【課題】従来のローパスフィルタでは、形状が大きくなる、またオープンスタブ部で幅方向の共振が発生し、これにより高域側にスプリアスが発生するという課題を有していた。【解決手段】金属板を切断してキャパシタ部１２とインダクタ部１３とを交互に構成したものを、内部空間が円筒状のシールドケース１１の中に挿入することによって構成するローパスフィルタであって、キャパシタ部１２は円形に曲げられその両端部同士をロウ付けにより接合されたものであり、インダクタ部１３の中央部はシールドケース内部空間の中央部付近にくるように曲げられているもので、このようにすることにより、小型化が可能で、周波数特性に優れたローパスフィルタを得ることができるものである。【選択図】図１
2008060900.tif 000002
【特許請求の範囲】
【請求項１】
金属板を切断してキャパシタ部とインダクタ部とを交互に構成したものを、内部空間が円筒状のシールドケースの中に挿入することによって構成するローパスフィルタであって、前記キャパシタ部は円形に曲げられその両端部同士をロウ付けにより接合されたものであり、前記インダクタ部の中央部は前記シールドケース内部空間の中央部付近にくるように曲げられているローパスフィルタ。
【請求項２】
ロウ付け材料は、金属板の表面材料と同じかそれより小さい電気抵抗を有する材料を用いている請求項１記載のローパスフィルタ。
【発明の詳細な説明】
【技術分野】
【０００１】
本発明は、特にマイクロ波、準マイクロ波通信装置等に用いられるローパスフィルタに関するものである。
【背景技術】
【０００２】
従来このようなローパスフィルタは、図３に示すように中空のシールドケース１の中にコンデンサとして機能するオープンスタブ部パターン２とコイルとして機能するラインパターン３とを交互に配置し、これによってローパスフィルタを構成していた。
【０００３】
なお、この出願の発明に関連する先行技術文献情報としては、例えば、特許文献１が知られている。
【特許文献１】特開平９−２３２８０５号公報
【発明の開示】
【発明が解決しようとする課題】
【０００４】
しかしながら、このような構成では形状が大きくなる、またオープンスタブ部で幅方向の共振が発生し、これにより高域側にスプリアスが発生するという課題があった。
【０００５】
本発明は上記従来の課題を解決するもので、小型化が可能で、スプリアスの発生を抑えた周波数特性に優れたローパスフィルタを提供することを目的とするものである。
【課題を解決するための手段】
【０００６】
前記従来の課題を解決するために本発明は、金属板を切断してキャパシタ部とインダクタ部とを交互に構成したものを、内部が円筒状の金属体の中に挿入することによって構成するローパスフィルタであって、キャパシタ部は円形に曲げられその両端部同士をロウ付けにより接合されたものであり、インダクタ部の中央部は前記金属体内側の中央部付近にくるように曲げられているようにしたものである。
【発明の効果】
【０００７】
本発明のローパスフィルタは、小型化が可能で、周波数特性に優れたローパスフィルタを得ることができるものである。
【発明を実施するための最良の形態】
【０００８】
（実施の形態１）
以下、実施の形態１を用いて、本発明について説明する。
【０００９】
図１は実施の形態１におけるローパスフィルタの断面図であり、図１（ａ）は上から見た断面図、図１（ｂ）は側面から見た断面図である。
【００１０】
円筒形のシールドケース１１の内部に、キャパシタ部１２およびインダクタ部１３となるパターンを交互に配置した内部導体１４を挿入する。このとき内部導体１４は、厚さ約０．５ｍｍの銅板を打ち抜きにより、キャパシタ部１２として長さ約８ｍｍ、幅約１２ｍｍ、インダクタ部１３として長さ約１３ｍｍ、幅約１ｍｍの形状となるように形成する。ここでキャパシタ部１２を円形に曲げ、その両端部を接合部１５として銀ロウにより接合する。このように円形に変形したキャパシタ部１２とシールドケース１１の内部との距離を約０．５ｍｍにして、この間に静電容量を形成する。さらにインダクタ部１３は、その中央部が円形に変形されたキャパシタ部１２の中心くらいにくるように変形されている。図２は以上のように変形された内部導体１４の斜視図である。
【００１１】
このようにして、２ＧＨｚ付近で通過帯域を有し、６ＧＨｚ以上で減衰するようなローパスフィルタが得られる。
【００１２】
従来のようにオープンスタブ型のパターンで静電容量を形成しようとすると、例えば本発明の実施形態１のような形状であれば、１２．５ＧＨｚ付近で共振を起こしその付近でスプリアスが発生することになる。これに対し本発明では両端部が接合され円形となっているため、幅方向の共振が発生せず、スプリアスは発生しない。
【００１３】
また従来のように平板型の内部導体を用いていると、コイルパターンとシールドケースとの間にも静電容量が発生し、これがローパスフィルタとしての周波数特性を劣化させることになる。これに対し本発明では、インダクタ部１３は、その中央部が円形に変形されたキャパシタ部１２の中心くらいにくるように変形されているため、シールドケース１１の内部との距離が大きくなり、浮遊容量が低減されているため、周波数特性の劣化も少なくなる。即ち、以上のようにインダクタ部１３を変形させることにより、長さ方向の形状を小さくできるとともに、周波数特性の向上も図れるのである。
【００１４】
なお、内部導体の材料としては、銅板以外にも真鍮板またはメッキ鋼板のように表面の電気抵抗の小さいものであれば用いることができる。ロウ付けの材料としては、単に接合すればよいのではなく、内部導体の表面の材料と同等かもしくはそれより電気抵抗が小さくことが望ましく、この点でも銀ロウを用いることが好ましい。
【００１５】
また、本実施の形態１では、キャパシタ部１２とシールドケース１１の内壁との間は空間となっているが、この間に誘電体を挟んだ構造としてもよい。このようにすることにより、キャパシタ部１２のさらなる小型化が可能となる。
【産業上の利用可能性】
【００１６】
本発明にかかるローパスフィルタは、小型化が可能で、周波数特性に優れたローパスフィルタを得ることができるという効果を有し、マイクロ波、準マイクロ波通信装置等のローパスフィルタに有用である。
【図面の簡単な説明】
【００１７】
【図１】本発明の実施の形態１におけるローパスフィルタの断面図
【図２】本発明の実施の形態１におけるローパスフィルタに用いられる内部導体の斜視図
【図３】従来のローパスフィルタの断面図
【符号の説明】
【００１８】
１１  シールドケース
１２  キャパシタ部
１３  インダクタ部
１４  内部導体
１５  接合部
【図１】
2008060900.tif 000003
【図２】
2008060900.tif 000004
【図３】
2008060900.tif 000005
(57)【要約】【課題】  車のドアーを固定する、ドアーストライカー金具に、簡単に着脱自在な乗降用ハンドルを提供する。【解決手段】  ハンドルの上部先端に下向きに開口したフックを設け、下部先端に上向きに突き出した受部を設け、ドアーストライカーの穴の部分にフックを上より差し込み、手前に引っ掛け、グリップ付きハンドルを手前に倒すことにより、突き出した受部はドアーストライカーの奥の部分に下側より当たり、固定されることを特徴とする着脱自在な乗降用ハンドル【選択図】図１
2008049986.tif 000002
【特許請求の範囲】
【請求項１】
ハンドルの上部先端に下向きに開口したフックを設け、下部先端に上向きに突き出した受部を設けたことを特徴とする着脱自在な車の乗降用ハンドル。
【発明の詳細な説明】
【技術分野】
【０００１】  本発明は、大部分の車種の運転席、助手席、後部左右座席のドアーを完全に固定するために車体に設けている。
コ字型金具のドアーストライカーに、安全、確実、簡単に着脱自在な車の乗降用ハンドルに関するものである。
【背景技術】
【０００２】  従来、障害者、妊婦、足首のねんざやひざの悪い人等、施設や病院において、介助者の手を借りて、車の乗り降りしている光景はよく見掛けることである。
また、高齢者の加齢の進展によって、足腰が弱ってきて、乗降時にドアーや支柱を手でつかんだり、よりかかったりして、体を保持しようとする光景はいたる所で見掛けることである。
補助器具としては、福祉車両や座席の上に回転盤をおいて、体位変換する方法が用いられている。
【発明の開示】
【発明が解決しようとする課題】
【０００３】  そのために、次のような問題点があった。
（イ）乗降介助の場合は車の天井に制約があり、介助者が中腰での作業が行われるために    腰痛の原因となる。
（ロ）特に、足腰の弱った高齢者が不安定なドアーや支柱、その他を手で支えて乗り降り    すると、手を滑べらせて転倒し、足の骨折の事故がおきがちである。
（ハ）自助努力で乗り降りすることができる簡単な補助器具が求められる。
本発明は、これらの問題点を解決するためになされたものである。
【課題を解決するための手段】
【０００４】  滑り止め用グリップを装着したハンドルの上部先端に、下向きに開口したフックを設ける。
なおかつ下部先端に、上向きに突き出した受部を設ける。
車の各ドアーを固定するために車体に取付ける。
コ字型金具であるドアーストライカーに簡単に着脱自在に取付られる、安全、安心の着脱自在な車の乗降用ハンドルである。
【発明の効果】
【０００５】  現在、乗降介助を受けている人の中にも自助努力で安全に乗り降りが出来るようになる。
又、介助を受けても、この発明のハンドルを使用することによって、介助者の負担を軽減することにより腰痛を減少させ、さらに高齢者や身体の不自由な人々が不安定な物につかまって手を滑らせて転倒することを予防するなどの効果がある。
【発明を実施するための最良の形態】
【０００６】  以下、本発明の実施の形態について説明する。
（イ）ハンドル（１）は、一枚の薄板を所要の形状に切断、折曲げ加工した構造である。
（ロ）ハンドル（１）の握り部分は、長方形の角パイプの形状で、下側は多少の隙間を設    けて、突き合せた構造である。
（ハ）ハンドル（１）の握り部分は、滑り止めのグリップ（２）を設ける。
（ニ）ハンドル（１）の上部先端に、下向きに開口したフックを設ける。
（ホ）ハンドル（１）の下部先端に、上向きに突き出した受け部を設ける。
本発明は以上のような構成である。
これを使用するときは、グリップ（２）を握った後、コ字型金具のドアーストライカー（３）の穴の部分に、ハンドル（１）のフック部分を上より差し込み、フックを引掛け、手前に倒すと、ハンドル（１）の下部先端の突き出した受部がドアーストライカー（３）の奥の部分に下側より当り固定される。
グリップ（２）を上にあげて、ハンドル（１）のフックを外すと簡単に取外すことができる。
ハンドル（１）に設けたグリップ（２）を手でつかみ、乗り降りするとき、ハンドル（１）には下向きの力、前後左右の力が働く、これらはハンドル（１）の先端部分のフックと受けの部分がコ字型金具のドアーストライカー（３）に固定されたとき、完全に吸収され、はずれることがない。
さらに簡単な構造で軽量にて着脱自在な実施の形態である。
【図面の簡単な説明】
【０００７】
【図１】  本発明と関連部の斜視図
【図２】  本発明と関連部の断面図
【図３】  本発明を使用して、車の助手席に着座している説明図
【図４】  本発明を使用して、車の助手席で外向きに着座している説明図
【図５】  本発明を使用して、車の助手席で外向きに着地している説明図
【図６】  本発明を使用して、車の助手席で立ち上がっている説明図
【符号の説明】
【０００８】    １  ハンドル
２  グリップ
３  ドアーストライカー
４  ドアーストライカーボデー
５  皿ビス
６  車の本体
７  車のドアー
８  車の座席
【図１】
2008049986.tif 000003
【図２】
2008049986.tif 000004
【図３】
2008049986.tif 000005
【図４】
2008049986.tif 000006
【図５】
2008049986.tif 000007
【図６】
2008049986.tif 000008
(57)【要約】【課題】従来の自動車等のシートは着座すれば空調装置の風が当たりにくく、かなりの時間冷たかったり熱かったり湿気が取れなく不快であった。またシート自体に装置を施すのは大掛かりで大変である。【解決手段】幸いにして自動車等のエアコン、送風機の吹き出し口には数あるいは幅に余裕があり、しかもそのルーバーはほぼ平行になっていることを利用し、簡単にかぎ爪で装置に送風する口が着脱でき、大抵に後付けできることを特徴とする自動車等シートに対する冷暖房通風装置をつけることができる。【選択図】図１
2008049987.tif 000002
【特許請求の範囲】
【請求項１】
殆どの自動車等に後付けできることを特徴とする自動車等シートに対する冷暖房通風装置。
【請求項２】
上記請求項１の装置等の取り付けを、より簡単で目立たなくするための空調送風装置本体よりの別の吹き出し口。
【発明の詳細な説明】
【技術分野】
【０００１】  この発明は、自動車等シートに対する冷暖房通風に関する。
【背景技術】
【０００２】  従来の自動車等シートは、気温により、着座前に熱すぎたり、冷たすぎたりし、適温にするためには、予めかなりの時間エアコンの風を当てるか、大掛かりな装置でシート自体を冷却、加熱するしかない。
【発明の開示】
【発明が解決しようとする課題】
【０００３】しかしながら、以上の技術によれば、着座すれば空調装置の風が当たりにくく、かなりの時間冷たかったり熱かったり湿気が取れなく不快であった。またシート自体に装置を施すのは大掛かりで大変である。
そこでこの発明は、簡単に自動車等シートに対し冷暖房通風できる後付型の装置を提供することを課題とする。
【課題を解決するための手段】
【０００４】  以上の課題を解決するために、幸いにして自動車等のエアコン、送風機の吹き出し口には数あるいは幅に余裕があり、しかもそのルーバーはほぼ平行になっていることを利用し、簡単にかぎ爪で装置に送風する口が着脱でき、大抵に後付けできることを特徴とする自動車等シートに対する冷暖房通風装置である。
【発明の効果】
【０００５】  この発明によれば、着座すれば空調装置の風が当たりにくく、かなりの時間冷たかったり熱かったり湿気が取れなく不快であった自動車等シートを快適に出来る。また、簡単に着脱でき、汚れやすい着座背もたれ部は洗濯できる。また、特に近頃の自動車の過剰とも思われる吹き出し口の有効利用にもなる。
【発明を実施するための最良の形態】
【０００６】  この発明の一実施形態を、図１に示す。
装置に送風する口は樹脂あるいはゴム製で、かぎ爪でエアコン、送風機の吹き出し口のルーバーに掛かり、ゴムの弾力により密着する。空気は、樹脂あるいはゴム製の自在に曲がるホースにより装置に送られる。このとき、Ｙ字等の枝分かれしたアダプターで空気を複数の装置に送風してもよい。シートに接する装置の骨組みは、座面と背もたれ部に分かれ、樹脂、ゴム、金属、木などの植物材料ででき、本来のシートの形状を崩さず、薄く、柔らかく、着座することによりシートに密着するもので、大きな力が掛かっても破壊し突起が生じたりしないものである。この骨組みに、通気性のある、突起物を通さない丈夫な布で、チャック等を使って被せる、この装置自体はひも等により座席に固定され、ホースが接続される。【０００７】実施例
「実施形態の効果」
この実施形態によれば、着座すれば空調装置の風が当たりにくく、かなりの時間冷たかったり熱かったり湿気が取れなく不快であった自動車等シートを快適に出来る。また、簡単に着脱でき、汚れやすい着座背もたれ部は洗濯できる。また、特に近頃の自動車の過剰とも思われる吹き出し口の有効利用にもなる。【０００８】「他の実施形態」
図１の実施形態では、装置が座面と背もたれ部に分かれていて、それぞれに空気が送り込まれていたが、他の実施形態では、一体となったものでも良い。また空調、送風装置との接続はアダプターにより様々なものと可能にしてもよい。また空調、送風装置に予め別の簡単な空気吹き出し口を設ければ、接続が簡単で、目立たなくなり尚良い。
【産業上の利用可能性】
【０００９】  着座したときの不快を取り除くことが、作業能率の向上、安全につながる運転、作業のシート。不特定多数の人が着座する公共的シート（病院等の診察、治療のシートも含む）。
【図面の簡単な説明】
【０００１０】
【図１】この発明の一実施形態を示す斜視図である。
【符号の説明】
【００１１】
【図１】
2008049987.tif 000003
(57)【要約】      （修正有）【課題】紙類やＣＤ等の裁断物投入口から指などを差し込まれても、カッターに指が触れないようにして安全性を高める。【解決手段】裁断物投入口１とカッターまで一定の距離、離した構造とすることで安全性を確保し、また裁断物投入口とカッター直前部の紙類の入る幅を変えることで、紙類の投入をスムースした。【選択図】図１
2008049323.tif 000002
【特許請求の範囲】
【請求項１】
装置本体にカッターを有するシュレッダーで、紙類やＣＤ類の裁断物投入口からカッター部まで一定の距離を有することで、裁断物投入口から人の指などが差し込まれても、カッター部まで指が届かず、安全性を確保したことを特徴とするシュレッダー。
【請求項２】
人の指などが差し込まれても、カッター部まで指が届かず安全性を確保しつつ、紙等の裁断物の投入を容易にするため、裁断物投入口の幅を工夫したシュレッダー。
【発明の詳細な説明】
【技術分野】
【００１】  本発明は、紙等を細かく裁断するためのシュレッダーに関する
【背景技術】
【００２】  周知の通りシュレッダーは紙類やＣＤ等を細かく裁断するための装置であり、近年は個人情報保護に対する関心から、事務所のみならず一般家庭にまで幅広く普及しているものである。【００３】  一般家庭等に普及してきていることから、小さな子供が裁断物投入口に指を差し込み、カッターで指が切断されるなどの事故が多発している。【００４】  このような問題を解決するために、裁断物投入口の幅を狭める方法があるが、幅を狭めた場合、紙類を複数毎同時に投入する場合等に幅が不足する、またとう投入がスムースにできないという欠陥があった。
【発明の開示】
【発明が解決しようとする課題】
【００５】  裁断物投入口の幅を一定幅確保しつつ、指を投入口に差し込んでも、カッターに挟まれないようにすることを目的とする。
【課題を解決するための手段】
【００６】  裁断物投入口とカッターまで一定の距離、離した構造とする。
【発明の効果】
【００７】  手を裁断物投入口に差し込んでも、カッターまで届かずに指が切断されることを防ぐことができる。また裁断物投入口の幅も一定幅確保できているため、複数毎の紙を同時に投入することも可能となる。
【発明を実施するための最良の形態】
【００８】  以下本発明を実施するための最良の形態を、図に示す実施例を参照して説明する。
【実施例１】
【００９】  図１はシュレッダーの断面図である。図示のように本実施例のシュレッダーは、裁断物投入口１からカッター部２まで一定の距離を確保しており、指を差し込んでもカッター部まで届かない構造となっている。【０１１】  また裁断物投入口１よりもカッター直前部３の幅を狭くすることにより、裁断物投入の容易さを確保しつつ、指をカッターに挟むことのない機能を実現することも可能である。【０１２】  一般的に小さな子供など指が細いと指は短く、成長するに従って、指は長く、太くなるものであり、また指自身は指の先端から手の平に向かって太くなっていく特長を持っている。よって裁断物投入口１の幅、カッター直前部３の幅、及び、裁断物投入口１とカッター直前部３までの距離を調整することにより、シュレッダーの裁断性能を確保することができる。【０１３】  仮に紙類を同時に大量に裁断するための性能を有するシュレッダーの場合、まずカッター直前部３の幅を広くする必要があり、その幅を決定させる。そして紙類をスムースに投入させるため、裁断物投入口１の幅をカッター直前部３よりも広く確保し、仮に裁断物投入口１から指を差し込まれても指が届かない距離にするための裁断物投入口１とカッター直線部３までの距離を離す構造にすれば、紙類の投入のスムースさも確保しつつ、指の安全を図ることもできる。【０１４】  仮に紙類を１枚から５枚程度同時に裁断するための性能を有するシュレッダーの場合、カッター直前部３の幅は狭くすることができ、必然的に裁断物投入口１とカッター直前部３までの距離は短くて良いこととなる。
【産業上の利用可能性】
【０１５】  これまでのシュレッダーは小さい子供などの指が挟まれるなどの事故を起こしていたが、本構造を利用することで、事故を未然に防ぐことができる。
【図面の簡単な説明】
【０１６】
【図１】  シュレッダーを横から見た断面図
【符号の説明】
【０１７】  １  裁断物投入口
２  カッター部
３  カッター直前部
【図１】
2008049323.tif 000003
(57)【要約】【課題】石油をめぐる戦争、紛争を根絶する為に、石油に代わる、エネルギ−資源を探さなければならず、また、その方法を発明し（又は見つけ）なければならない。【解決手段】解決するには、永遠不滅のエネルギ−資源を探すことが最良であり、人間の排せつ物は人類が存続する限り、永遠不滅であることから、これを有効利用することにより（排せつ物からメタンガスを抽出し、それをエネルギ−資源とすることにより）石油をめぐる、戦争、紛争を根絶する。【選択図】図なし【特許請求の範囲】
【請求項１】
人類の平和の為に（石油をめぐる戦争を無くす為に）石油に代わる資源として（ガスを原動力とした商品開発を望むと共に）ガス資源を掲げたい。その大量なガスを発生させる原材料としては、決して無くなることのない、人間の排せつ物を利用し、それから発生するメタンガスを資源とする方法を、多種多様な形で（他の発明家の方々に）考案して頂くことにして、とにかく「ガス資源資源の原材料を、人間の排せつ物利用に重点を置く」ということを提案し、特許を申請したい。
【発明の詳細な説明】
【技術分野】
【０００１】石油資源に代わる資源として、人間の排せつ物を利用し、そこからメタンガスを発生させ、それを都市ガスやプロパンガスのように使用し、更に冷暖房機や自動車の原動力であるガソリンに替わるエネルギ−として有効利用する。つまり、今迄、石油を原動力として作動してきたものを、全て、ガスを原動力として作動させるようにする、という事であり、そのガスの原材料を（人間が存続する限り、絶えることのない）排せつ物に求める、ということである。
【背景技術】
【０００２】石油をめぐる戦争が多発している現在、それらの紛争を無くす意味でも、石油に代わる、別の資源（エネルギ−源）が必要である。それには、絶対に不滅のエネルギ−資源であることが必須条件であり、人間が存続する限り、排せつ物は永遠不滅のものであることから、排せつ物からメタンガスを抽出する方法は、正に最良のものと言える。
【発明の開示】
【発明が解決しようとする課題】
【０００３】石油をめぐる戦争、紛争を根絶する為に、石油に代わる、エネルギ−資源を探さなければならず、また、その方法を発明し（又は見つけ）なければならない。
【課題を解決するための手段】
【０００４】人類の存亡を賭けて、石油に代わるエネルギ−資源を探す為には、まずそれが、永遠に不滅のエネルギ−資源であることが必須条件であり、人間の排せつ物は、人類が存続する限り、永遠に不滅であることから、これを有効利用することにより（排せつ物からメタンガスを抽出し、それをエネルギ−資源とすることにより）石油をめぐる戦争、紛争を根絶する。その方法（解決手段）としては、近年普及している水洗トイレを廃止し、旧来の汲み取り用トイレを復活させ、排せつ物をバキュ−ムカ−で回収し、それをガス製造工場へ集積させる。それらの排せつ物を巨大なタンクに集め、そのタンク内の上部に溜まったガスを、配管を通じて各家庭に配給する。また、冷暖房機や自動車等の製造会社（製造する際に石油エネルギ−資源を原動力としていたものも、ガスエネルギ−資源を原動力とするように替える）にも供給する。
(57)【要約】【課題】  ゴルフマーカーを使用するにあたって、よくポケットから落としていたりプレー中に枝等に当たり、マーカーが外れていたのに気づかないことがよくあった、また、取付け取外しが悪かったり、ファッション性に欠けていた。腰の回りに違和感があり、プレーに熱中できなかった。【解決手段】  ベルトのバックルの表（おもて）面に磁石を取付け、磁石に引っ付くゴルフマーカーを利用することで、取付け取外しが簡単にできるし、マーカーが有るか無いか肉眼で的確に知ることができる。さらに、従来の物と比べてもファッション性が高く腰の回りの違和感が無い。【選択図】図２
2008049105.tif 000002
【特許請求の範囲】
【請求項１】
ベルトのバックルの表（おもて）面に磁石を取付け、磁石に引っ付くゴルフマーカーが取付けられることを特徴とする磁石付きベルト。
【発明の詳細な説明】
【技術分野】
【０００１】  ゴルフプレーするとき使用する、ゴルフマーカーを取付けできるベルト。
【背景技術】
【０００２】  従来ゴルフマーカーをベルトに装着して使用できるものとしてゴルフ小物用品簡易携行具をベルトに通して使用する物を利用していた。
【特許文献】  特開２００６−３４９３７
【発明の開示】
【発明が解決しようとする課題】
【０００３】  上記したベルトにゴルフ小物用品簡易携行具を取付けて使用する場合、次のような問題点があった。【０００４】  ゴルフしていて腰の回りに違和感を感じプレーに熱中できなかった。また、マーカーが外れていても気がつかないことがあった。取付け取外しが不便であった。ファッション性に欠けていた。【０００５】  このような不具合を解消するために、ベルトのバックルに直接マーカーを取付けて使用するので腰の回りに支障なくプレーができる。又、ベルトの中心にあるので取付け取外しが非常に簡単である。また、外れてもすぐに確認できる特徴がある。ファッション性の高いゴルフベルトである。
【課題を解決するための手段】
【０００６】  本発明は以上のような問題点を確実に解決するためのものである。【０００７】  すなわち、請求項１の発明は、ベルトのバックルの表（おもて）面に磁石を取付け磁石に引っ付くゴルフマーカーを取付けられることができるベルトである。取付け取外しが簡単にできるしベルトの正面に付いているので有るか無いか肉眼で的確に知る事ができる。さらに、最近はゴルフをするのにもおしゃれ感覚で楽しんでいるので、従来の物と比べてもファッション性に優れている。腰の回りに違和感を感じることも無く、プレーに熱中できる。
【発明の効果】
【００８】  以上のように、本発明のゴルフマーカーを取付けできるベルトは、ベルトに取付けるので、マーカーが有るか無いか肉眼で的確に知ることができる。また、取付け取外しが簡単にできる。しかもファッション性に優れている。さらに、磁石や磁石に引っ付く物でできているゴルフマーカーはほとんど利用することができる。そして自分の好きなマーカーや、自作のマーカーを利用してもっとゴルフを楽しめる。
【発明を実施するための最良の形態】  本発明のゴルフマーカーを取付けできるベルトについて図を用いて説明する。【００９】  ゴルフマーカーの平面図を図１に、ベルトのバックルの表（おもて）面に磁石を取付けた平面図を図２に示す。磁石や磁石に引っ付く物でできているゴルフマーカーはすべて取付けて使用することができる。
【図面の簡単な説明】
【００１０】
【図１】ゴルフマーカーの平面図
【図２】ベルトのバックルに磁石を取付けた平面図
【符号の説明】
１、ゴルフマーカー本体
２、磁石
３、バックル
４、ベルト
【図１】
2008049105.tif 000003
【図２】
2008049105.tif 000004
(57)【要約】【課題】  幼児期から箸の正しい握り方を会得するため考案された箸は多くあるが、幼児が興味をもつ箸がなくいくら教えても覚えることが出来ず苦労していた。【解決手段】  そこて発明した幼児が興味をもつ箸が請求項１に記載した箸で、正しく握ることにより絵の物体が点灯し絵が見えて、又請求項２記載の箸が点灯し箸に興味をもつようになり、早く箸の正しい使い方を会得するようになる。請求項３、４、に問しては式場などで場に合せて使用できる箸を提供する。【選択図】図１
2008049106.tif 000002
【特許請求の範囲】
【請求項１】
箸の握手部にスイッチを設け、握手部の上方に電地を設けその上方に発光物体設ける．幼児が正しく握ったとき点灯し印した絵が見える箸。
【請求項２】
箸の握手部にスイッチを設け、握手部の上方に電地を設ける．握手部の下方に発光体を設け、その先端部に透明な合成樹脂製棒体、又はガラスの棒体を取付ける．正しく箸を握るとスイッチが入り棒体が発光する箸。
【請求項３】
箸の先端に取付ける透明な合成樹脂製棒状体に小さな穴状で模様を印し点灯すると印した部分が光る箸。
【請求項４】
透明な棒状体の元に短かい色のついた棒を固着し、又は短い色のついた棒を先に取付透明な棒状体をその先に取付けることによりスイッチを入れると光る色が変る箸。
【発明の詳細な説明】
【技術分野】
【０００１】    本発明は、幼児に正しい箸の特方を会得する箸に関するもの。
【背景技術】
【０００２】    従来箸の特方について工夫された箸はあるが幼児が興味をもつ箸がなかった。
【発明の開示】
【発明が解決しようとする課題】
【０００３】  これはつぎのような問題点があった
幼児に箸の正しい特方を教えるのには幼児が興味をもつような箸がなかった。
【課題を解決するための手段】
【０００４】    箸のはしに幼児が興味を特つ絵、たとえばお父さん、お母さん、犬、猫などの笑い顔の絵を印し、正しく箸を特つ位置にスイッチを設けその上方に電地と発光体を設け、正しく握ると箸のはにに設けた物体が点灯し絵が見える構造を設け幼児が正しく箸を握ることにより絵が見え、箸に興味を特ち早く会得するようになるこのような構成で成る箸である。
【発明の効果】
【０００５】  上記の様に幼児が興味を特つ箸であるから食事のときは親に教えてもらえるが、それ以外では教えてもらう機会がなく幼児が箸に興味を特つことにより、ままごと遊びなどで玩具として使うことができて幼児同志でも正しい箸の握りを自然と会得できる箸である。
【発明の実施するための最良の形熊】
【０００６】    箸の正しい握手部にスイッチを設け、握手部の上方に電地と発光物体を設け幼児が正しく握ったとき点灯し、印した絵が見えるようになり箸に興味をもつようになる請求項１記載の箸。
【０００７】    握手部の上方に電地を設け、握手部の下方に発光体を設けその先端に透明な合成樹脂製棒状体、又はガラス製棒体を取付ける．正しく握ると棒状体が発光する請求項２記載の箸。
【０００８】    箸の先に付ける透明な棒状体に小さな穴状で模様を印し、正しく握ることによりスイッチが入り、印した模様が光り幼児が興味もつ請求項３記載の箸。
【０００９】    棒状体取付け部に色のついた短かい棒状体を入れその先に透明な棒状体を取付ける．又透明な棒状体の元に色のついた短かい棒状体を固着し取付てスイッチを入れると発光の色が変って幼児が興味をもつ請求項４記載の箸。
【実施例】
【００１０】    箸の半分から上方に図２を設ける、請求項１記載の箸．又半分から上方部に図５を設け、図６、７、８、９を使う用途に合せて取付ける．たとえば式場などでその場に合せて使う。
【図面の簡単な説明】
【００１１】
【図１】  箸全体の斜視図
【図２】  照明部の断面図
【図３】  照明部の断面図
【図４】  箸全体の斜視図
【図５】  照明部の断面図
【図６】  透明な箸の部分正面図
【図７】  透明な箸の部分に模様を印した正面図
【図８】  透明な箸の部分に模様を印した上方部に色のついた箸の正面図
【図９】  透明な箸の上方部に色のついた箸の正面図
【符号の説明】
【００１２】１    昭明部
２    箸本体
３    絵を印した物体
４    電地
５    発光体
６    配線
７    スイッチ
８    スイッチカバー
９    ストッパー
１０  絵を印した箸
１１  色の付いた部材
【図１】
2008049106.tif 000003
【図２】
2008049106.tif 000004
【図３】
2008049106.tif 000005
【図４】
2008049106.tif 000006
【図５】
2008049106.tif 000007
【図６】
2008049106.tif 000008
【図７】
2008049106.tif 000009
【図８】
2008049106.tif 000010
【図９】
2008049106.tif 000011
(57)【要約】【課題】  従来のコンドームは男性器に密着するもので、性交時における女性器とコンドームの擦れ合いにより、女性側に痛み等の不快感を生ずる場合があった。また、一方で、男性側にはこの形態から、コンドームを装着しない自然な挿入感が得られにくい構造であった。【解決手段】  コンドームの内径を従来のものよりも大幅に拡大し、男性器と密着しないようにし、内側のみに潤滑剤を塗布することにより、男性器がコンドームと自由に擦れ合うようにするとともに、女性器とコンドームの擦れ合いを極力小さくする。  また、単に、内径を大きくしただけではコンドームが女性器に嵌入する可能性があるため、根元に硬質ゴムの円形ストッパーを設け、これを防止する。  使用に当たっては従来のコンドームと同様に、男性器に装着して使用する。【選択図】図１
2008049103.tif 000002
【特許請求の範囲】
【請求項１】
硬質ゴムによる嵌入防止部分を根元に設け，内側のみに潤滑剤を塗布した女性器側に密着するコンドーム。
【発明の詳細な説明】
【技術分野】
【０００１】  本発明は、女性の痛み等を和らげ、男性の自然な挿入感を実現するコンドームに関する。
【背景技術】
【０００２】  従来のコンドームは男性器に密着するもので、性交時における女性器とコンドームの擦れ合いにより、女性側に痛み等の不快感を生ずる場合があった。また、一方で、男性側にはこの形態から、コンドームを装着しない自然な挿入感が得られにくい構造であった。
【発明の開示】
【発明が解決しようとする課題】
【０００３】  以上に述べたコンドーム使用による性交時の女性の痛みの緩和および男性の自然な挿入感の実現。
【課題を解決するための手段】
【０００４】  コンドームの内径を従来のものよりも大幅に拡大し、男性器と密着しないようにする。【０００５】  コンドームの内側のみに潤滑剤を塗布することにより、男性器がコンドームと自由に擦れ合うようにするとともに、女性器とコンドームの擦れ合いを極力小さくする。【０００６】  単に、内径を大きくしただけではコンドームが女性器に嵌入する可能性があるため、根元に硬質ゴムの円形ストッパーを設け、これを防止する。【０００７】  使用に当たっては従来のコンドームと同様に、男性器に装着して使用する。
【発明の効果】
【０００８】  従来のコンドームでは、適切に装着しないと女性器内部にコンドームが嵌入する可能性も考えられたが，本発明のストッパーがあればこのような事例を防ぐことができる。また，従来のコンドームの避妊，伝染病予防などの効果をそのまま保持する。
【図面の簡単な説明】
【０００９】
【図１】  本発明の外観図  先端部は精液だめ
【図１】
2008049103.tif 000003